【手続補正書】
【提出日】平成21年3月19日(2009.3.19)
【手続補正１】
【補正対象書類名】特許請求の範囲
【補正対象項目名】全文
【補正方法】変更
【補正の内容】
【特許請求の範囲】
【請求項１】
連続する複数の周波数サブキャリアにて形成された周波数ブロックによってシステム帯域が複数に分割されるとともに、各周波数ブロックが複数の分割ブロックによって時間方向に複数に分割されており、下りリンクのチャネルを分割ブロックに割り当てる周波数スケジューリング部と、
前記周波数スケジューリング部において割り当てた分割ブロックに、下りリンクのチャネルのデータをマッピングするマッピング部と
を備え、
前記周波数スケジューリング部は、少なくともふたつの周波数ブロックに分散された複数の分割ブロックであって、かつ時間方向に連続した複数の分割ブロックに下りリンクのチャネルを割り当てることを特徴とする送信装置。
【請求項２】
連続する複数の周波数サブキャリアにて形成された周波数ブロックによってシステム帯域が複数に分割されるとともに、各周波数ブロックが複数の分割ブロックによって時間方向に複数に分割されており、下りリンクのチャネルを分割ブロックに割り当てる周波数スケジューリング部と、
前記周波数スケジューリング部において割り当てた分割ブロックに、下りリンクのチャネルのデータをマッピングするマッピング部と
を備え、
前記周波数スケジューリング部は、少なくともふたつの周波数ブロックに分散された複数の分割ブロックであって、かつ時間方向に連続した複数の分割ブロックに下りリンクのチャネルを割り当てるＤｉｓｔｒｉｂｕｔｅｄ型送信と、一定の周波数ブロックに下りリンクのチャネルを割り当てるＬｏｃａｌｉｚｅｄ型送信とが規定されており、一方を使用することを特徴とする送信装置。
【請求項３】
前記周波数スケジューリング部は、システム帯域内の周波数ブロックの数に応じて離れた少なくともふたつの周波数ブロックにおいて、下りリンクのチャネルを複数の分割ブロックに割り当てることを特徴とする請求項１または２に記載の送信装置。
【請求項４】
前記周波数スケジューリング部において下りリンクのチャネルを割り当てた分割ブロックに関する制御情報を生成する制御情報生成部と、
複数の周波数ブロックの先頭部分において、制御情報を送信する送信部と
をさらに備えることを特徴とする請求項１に記載の送信装置。
【請求項５】
前記周波数スケジューリング部において下りリンクのチャネルを割り当てた分割ブロックに関する制御情報を生成する制御情報生成部と、
複数の周波数ブロックの先頭部分において、制御情報を送信する送信部と
をさらに備えることを特徴とする請求項２に記載の送信装置。
【請求項６】
各移動局の状態に応じて、Ｌｏｃａｌｉｚｅｄ型送信の周波数ブロックおよびＤｉｓｔｒｉｂｕｔｅｄ型送信の周波数ブロックの割り当て比率を決定する割り当て比率決定部
をさらに備え、
前記周波数スケジューリング部は、前記割り当て比率に基づいて、所定の周期で、Ｌｏｃａｌｉｚｅｄ型送信の周波数ブロックおよびＤｉｓｔｒｉｂｕｔｅｄ型送信の周波数ブロックの割り当て比率を変更することを特徴とする請求項２に記載の送信装置。
【請求項７】
前記制御情報生成部は、前記周波数ブロックおよび前記分割ブロックの位置を示す識別符号の数と、前記周波数ブロックおよび前記分割ブロックのうちの一方が割り当てられる全移動局を示す情報と、各識別符号に対応する移動局を示す情報とを、制御情報として生成することを特徴とする請求項５に記載の送信装置。
【請求項８】
前記制御情報生成部は、前記周波数ブロックおよび前記分割ブロックの位置を示す識別符号の数と、前記周波数ブロックおよび前記分割ブロックのうちの一方が割り当てられる移動局を示す情報と、各識別符号に対応する前記移動局を示す情報とを、制御情報として生成することを特徴とする請求項５に記載の送信装置。
【請求項９】
Ｌｏｃａｌｉｚｅｄ型送信の周波数ブロックおよびＤｉｓｔｒｉｂｕｔｅｄ型送信の周波数ブロックに対して、その位置を示す符号が割り当てられ、Ｄｉｓｔｒｉｂｕｔｅｄ型送信の周波数ブロックは、分割数に応じて、所定の周波数ブロック数だけ離して配置され、
前記制御情報生成部は、Ｌｏｃａｌｉｚｅｄ型送信の周波数ブロックに対し、対応する位置を示す情報を識別情報として割り当て、Ｄｉｓｔｒｉｂｕｔｅｄ型送信の周波数ブロックに対し、前記位置を示す符号と、前記分割数に基づいて、対応する位置を示す情報を割り当てることを特徴とする請求項５に記載の送信装置。
【請求項１０】
前記制御情報生成部は、全移動局を示す識別情報と、前記全移動局を示す識別情報に応じて割り当てられる前記周波数ブロックおよび前記分割ブロックのうちの一方を示す情報と、前記周波数ブロックおよび前記分割ブロックの位置を示す識別符号に対応する移動局を示す識別情報とを、制御情報として生成することを特徴とする請求項９に記載の送信装置。
【請求項１１】
前記制御情報生成部は、移動局を示す識別情報と、前記移動局を示す識別情報に対応して割り当てられる前記周波数ブロックおよび前記分割ブロックのうちの一方を示す情報と、前記周波数ブロックおよび前記分割ブロックの位置を示す識別符号に対応する移動局を示す識別情報とを、制御情報として生成することを特徴とする請求項９に記載の送信装置。
【請求項１２】
Ｌｏｃａｌｉｚｅｄ型送信の周波数ブロックおよびＤｉｓｔｒｉｂｕｔｅｄ型送信の周波数ブロックに対して、その位置を示す符号が割り当てられ、Ｄｉｓｔｒｉｂｕｔｅｄ型送信の周波数ブロックの数に応じて、分割ブロックの識別符号が予め決定され、
前記制御情報生成部は、移動局を示す識別情報と、前記移動局を示す識別情報に対応して割り当てられる前記周波数ブロックおよび前記分割ブロックのうちの一方を示す情報と、Ｄｉｓｔｒｉｂｕｔｅｄ型送信の周波数ブロックの数と、前記移動局に割り当てられる割ブロックの識別符号とを、制御情報として生成することを特徴とする請求項５に記載の送信装置。
【請求項１３】
Ｄｉｓｔｒｉｂｕｔｅｄ型送信の周波数ブロックの数が奇数であるか偶数であるかによって、前記分割ブロックに対し異なる識別符号が予め決定され、
前記制御情報生成部は、移動局を示す識別情報と、前記移動局を示す識別情報に対応して割り当てられる前記周波数ブロックおよび前記分割ブロックのうちの一方を示す情報と、Ｄｉｓｔｒｉｂｕｔｅｄ型送信の周波数ブロックの数が偶数であるか奇数であるかを示す情報と、前記移動局に割り当てられる分割ブロックの識別符号とを、制御情報として生成することを特徴とする請求項１２に記載の送信装置。
【請求項１４】
Ｌｏｃａｌｉｚｅｄ型送信の周波数ブロックおよびＤｉｓｔｒｉｂｕｔｅｄ型送信の周波数ブロックに対して、その位置を示す符号が割り当てられ、Ｄｉｓｔｒｉｂｕｔｅｄ型送信の周波数ブロックの数に応じて、分割ブロックの識別符号が予め決定され、
前記制御情報生成部は、Ｄｉｓｔｒｉｂｕｔｅｄ型送信の周波数ブロックの数が予め決定されている場合に、移動局を示す識別情報と、前記移動局を示す識別情報に対応して割り当てられる前記周波数ブロックおよび前記分割ブロックのうちの一方を示す情報と、前記移動局に割り当てられる分割ブロックの識別符号とを、制御情報として生成することを特徴とする請求項５に記載の送信装置。
【請求項１５】
前記制御情報生成部は、前記移動局に割り当てられる分割ブロックの識別符号として、連続する識別符号が前記移動局に割り当てられる場合に、Ｔ ｒ ｅ ｅ   ｂ ａ ｓ ｅ ｄ   Ｒ ｅｓ ｏ ｕ ｒ ｃ ｅ   Ａ ｌ ｌ ｏ ｃ ａ ｔ ｉ ｏ ｎ を適用することにより求められる値を生成することを特徴とする請求項１２ないし１４のいずれか１項に記載の送信装置。
【請求項１６】
連続する複数の周波数サブキャリアにて形成された周波数ブロックによってシステム帯域が複数に分割されるとともに、各周波数ブロックが複数の分割ブロックによって時間方向に複数に分割されており、下りリンクのチャネルを分割ブロックに割り当てるステップと、
割り当てた分割ブロックに、下りリンクのチャネルのデータをマッピングするステップと
を備え、
前記割り当てるステップは、少なくともふたつの周波数ブロックに分散された複数の分割ブロックであって、かつ時間方向に連続した複数の分割ブロックに下りリンクのチャネルを割り当てることを特徴とする送信方法。
【請求項１７】
連続する複数の周波数サブキャリアにて形成された周波数ブロックによってシステム帯域が複数に分割されるとともに、各周波数ブロックが複数の分割ブロックによって時間方向に複数に分割されており、下りリンクのチャネルを分割ブロックに割り当てるステップと、
割り当てた分割ブロックに、下りリンクのチャネルのデータをマッピングするステップと
を備え、
前記割り当てるステップは、少なくともふたつの周波数ブロックに分散された複数の分割ブロックであって、かつ時間方向に連続した複数の分割ブロックに下りリンクのチャネルを割り当てるＤｉｓｔｒｉｂｕｔｅｄ型送信と、一定の周波数ブロックに下りリンクのチャネルを割り当てるＬｏｃａｌｉｚｅｄ型送信とが規定されており、一方を使用することを特徴とする送信方法。
【請求項１８】
前記割り当てるステップは、システム帯域内の周波数ブロックの数に応じて離れた少なくともふたつの周波数ブロックにおいて、下りリンクのチャネルを複数の分割ブロックに割り当てることを特徴とする請求項１６または１７に記載の送信方法。
【請求項１９】
前記割り当てるステップにおいて下りリンクのチャネルを割り当てた分割ブロックに関する制御情報を生成するステップと、
複数の周波数ブロックの先頭部分において、制御情報を送信するステップと
をさらに備えることを特徴とする請求項１６または１７に記載の送信方法。
【手続補正２】
【補正対象書類名】明細書
【補正対象項目名】０００９
【補正方法】変更
【補正の内容】
【０００９】
上記課題を解決するため、本送信装置は、
連続する複数の周波数サブキャリアにて形成された周波数ブロックによってシステム帯域が複数に分割されるとともに、各周波数ブロックが複数の分割ブロックによって時間方向に複数に分割されており、下りリンクのチャネルを分割ブロックに割り当てる周波数スケジューリング部と、
前記周波数スケジューリング部において割り当てた分割ブロックに、下りリンクのチャネルのデータをマッピングするマッピング部と
を備え、
前記周波数スケジューリング部は、少なくともふたつの周波数ブロックに分散された複数の分割ブロックであって、かつ時間方向に連続した複数の分割ブロックに下りリンクのチャネルを割り当てる。
本送信装置は、
連続する複数の周波数サブキャリアにて形成された周波数ブロックによってシステム帯域が複数に分割されるとともに、各周波数ブロックが複数の分割ブロックによって時間方向に複数に分割されており、下りリンクのチャネルを分割ブロックに割り当てる周波数スケジューリング部と、
前記周波数スケジューリング部において割り当てた分割ブロックに、下りリンクのチャネルのデータをマッピングするマッピング部と
を備え、
前記周波数スケジューリング部は、少なくともふたつの周波数ブロックに分散された複数の分割ブロックであって、かつ時間方向に連続した複数の分割ブロックに下りリンクのチャネルを割り当てるＤｉｓｔｒｉｂｕｔｅｄ型送信と、一定の周波数ブロックに下りリンクのチャネルを割り当てるＬｏｃａｌｉｚｅｄ型送信とが規定されており、一方を使用する。
【手続補正３】
【補正対象書類名】明細書
【補正対象項目名】００１１
【補正方法】変更
【補正の内容】
【００１１】
本送信方法は、
連続する複数の周波数サブキャリアにて形成された周波数ブロックによってシステム帯域が複数に分割されるとともに、各周波数ブロックが複数の分割ブロックによって時間方向に複数に分割されており、下りリンクのチャネルを分割ブロックに割り当てるステップと、
割り当てた分割ブロックに、下りリンクのチャネルのデータをマッピングするステップと
を備え、
前記割り当てるステップは、少なくともふたつの周波数ブロックに分散された複数の分割ブロックであって、かつ時間方向に連続した複数の分割ブロックに下りリンクのチャネルを割り当てる。
本送信方法は、
連続する複数の周波数サブキャリアにて形成された周波数ブロックによってシステム帯域が複数に分割されるとともに、各周波数ブロックが複数の分割ブロックによって時間方向に複数に分割されており、下りリンクのチャネルを分割ブロックに割り当てるステップと、
割り当てた分割ブロックに、下りリンクのチャネルのデータをマッピングするステップと
を備え、
前記割り当てるステップは、少なくともふたつの周波数ブロックに分散された複数の分割ブロックであって、かつ時間方向に連続した複数の分割ブロックに下りリンクのチャネルを割り当てるＤｉｓｔｒｉｂｕｔｅｄ型送信と、一定の周波数ブロックに下りリンクのチャネルを割り当てるＬｏｃａｌｉｚｅｄ型送信とが規定されており、一方を使用する。